Podtech/llm-jp-corpus-v4-ja_patent huggingface dataset:
【手続補正書】
【提出日】令和3年1月14日(2021.1.14)
【手続補正１】
【補正対象書類名】特許請求の範囲
【補正対象項目名】全文
【補正方法】変更
【補正の内容】
【特許請求の範囲】
【請求項１】
遊技球が流下可能な遊技領域が形成された遊技盤を備え、前記遊技領域を流下した遊技球が所定の始動口に入球することに基づいて抽選を行い、該抽選の結果に基づいて図柄の変動表示を行い、該図柄の変動表示の結果として当り結果が導出された場合に所定の当り遊技を実行する遊技機において、
前記図柄の変動表示を行う変動表示手段と、
所定の演出部材を動作可能な動作手段と、を備え、
当該遊技機の電源が投入されたときに、前記演出部材の確認動作を行いうるものであって、
当該遊技機に対する電源投入態様が通常態様の場合には、前記図柄の変動表示が可能とされるなかで前記演出部材の確認動作を行い、
当該遊技機に対する電源投入態様が特定態様の場合には、前記図柄の変動表示が不能とされるなかで前記演出部材の確認動作を行う
ことを特徴とする遊技機。
【手続補正２】
【補正対象書類名】明細書
【補正対象項目名】０００４
【補正方法】変更
【補正の内容】
【０００４】
しかしながら、電源投入後に行われる演出部材の確認動作の態様によっては、遊技者の興趣が低下してしまう虞がある。
【手続補正３】
【補正対象書類名】明細書
【補正対象項目名】０００５
【補正方法】変更
【補正の内容】
【０００５】
本発明は、上記した事情に鑑みなされたもので、その目的とするところは、遊技者の興趣が低下することを抑制することが可能な遊技機を提供することにある。
【手続補正４】
【補正対象書類名】明細書
【補正対象項目名】０００６
【補正方法】変更
【補正の内容】
【０００６】
上記した目的を達成するために、請求項１に係る発明においては、
遊技球が流下可能な遊技領域が形成された遊技盤を備え、前記遊技領域を流下した遊技球が所定の始動口に入球することに基づいて抽選を行い、該抽選の結果に基づいて図柄の変動表示を行い、該図柄の変動表示の結果として当り結果が導出された場合に所定の当り遊技を実行する遊技機において、
前記図柄の変動表示を行う変動表示手段と、
所定の演出部材を動作可能な動作手段と、を備え、
当該遊技機の電源が投入されたときに、前記演出部材の確認動作を行いうるものであって、
当該遊技機に対する電源投入態様が通常態様の場合には、前記図柄の変動表示が可能とされるなかで前記演出部材の確認動作を行い、
当該遊技機に対する電源投入態様が特定態様の場合には、前記図柄の変動表示が不能とされるなかで前記演出部材の確認動作を行う
ことを特徴とする。
【手続補正５】
【補正対象書類名】明細書
【補正対象項目名】０００７
【補正方法】変更
【補正の内容】
【０００７】
上記構成では、遊技機の電源投入態様が特定態様の場合（たとえばホール管理者による特定の操作が行われた場合）に、図柄の変動表示による遊技進行を不能にしつつも、演出部材の確認動作を実行することができる。これにより、図柄の変動表示を不能にしている間に確認動作を早期に進めることができ、遊技者の興趣が低下することを抑制することが可能となる（例えば、段落１０８８〜１１６８の記載を参照）。
【手続補正６】
【補正対象書類名】明細書
【補正対象項目名】０００８
【補正方法】変更
【補正の内容】
【０００８】
このように、本発明によれば、遊技者の興趣が低下することを抑制することが可能な遊技機を提供することができる。
【手続補正書】
【提出日】令和3年4月9日(2021.4.9)
【手続補正１】
【補正対象書類名】特許請求の範囲
【補正対象項目名】全文
【補正方法】変更
【補正の内容】
【特許請求の範囲】
【請求項１】
始動条件の成立に基づいて、情報を取得する情報取得手段と、
前記情報に基づいて、当落を判定する判定手段と、
前記判定手段による判定が行われるよりも前に、当落に関する判定を行う事前判定手段と、
開始条件の成立に基づいて、装飾図柄を用いて変動表示を行い前記判定手段の判定結果を表示手段に表示する結果表示手段と、
前記始動条件が成立したものの前記開始条件が成立しなかった場合に、所定数を上限として前記情報を記憶して保留する情報保留手段と、
所定の演出を実行する演出実行手段と、を備え、
前記情報保留手段によって前記情報が記憶して保留されていることを、情報表示として前記表示手段に表示可能であり、
前記情報保留手段によって複数の前記情報が保留されているとき、前記表示手段における該複数の情報に対応する表示位置に前記情報表示が表示され、
前記情報に対応する表示位置のうち所定の表示位置に前記情報表示が表示されている状況において、該所定の表示位置に表示されている前記情報表示を一旦非表示としたあとにカウントダウンする表示が前記表示手段に表示されるようになされており、
前記表示手段の前記所定の表示位置に表示されている前記情報表示が該所定の表示位置とは異なる表示位置に表示される際に、前記カウントダウンする表示のカウントダウンが行われ、
前記カウントダウンする表示が終了されたとき、すべての前記情報表示が前記カウントダウンが終了されるよりも前の表示位置に表示されることがない
ことを特徴とする遊技機。
【手続補正２】
【補正対象書類名】明細書
【補正対象項目名】０００３
【補正方法】変更
【補正の内容】
【０００３】
また、その大当りとするか否かの抽選に関連する情報について、始動口に遊技球が入賞したものの変動表示が行われずに所定数を上限として保留される遊技機が多数提案されている（例えば、特許文献１）。
【手続補正３】
【補正対象書類名】明細書
【補正対象項目名】０００５
【補正方法】変更
【補正の内容】
【０００５】
しかしながら、情報が保留されている間に行われる演出について、遊技者の興趣の低下を抑制するように、さらなる工夫の余地がある。
【手続補正４】
【補正対象書類名】明細書
【補正対象項目名】０００７
【補正方法】変更
【補正の内容】
【０００７】
上記の課題を解決するため本発明は、以下の構成を採用する。遊技機は、始動条件の成立に基づいて、情報を取得する情報取得手段と、前記情報に基づいて、当落を判定する判定手段と、前記判定手段による判定が行われるよりも前に、当落に関する判定を行う事前判定手段と、開始条件の成立に基づいて、装飾図柄を用いて変動表示を行い前記判定手段の判定結果を表示手段に表示する結果表示手段と、前記始動条件が成立したものの前記開始条件が成立しなかった場合に、所定数を上限として前記情報を記憶して保留する情報保留手段と、所定の演出を実行する演出実行手段と、を備え、前記情報保留手段によって前記情報が記憶して保留されていることを、情報表示として前記表示手段に表示可能であり、前記情報保留手段によって複数の前記情報が保留されているとき、前記表示手段における該複数の情報に対応する表示位置に前記情報表示が表示され、前記情報に対応する表示位置のうち所定の表示位置に前記情報表示が表示されている状況において、該所定の表示位置に表示されている前記情報表示を一旦非表示としたあとにカウントダウンする表示が前記表示手段に表示されるようになされており、前記表示手段の前記所定の表示位置に表示されている前記情報表示が該所定の表示位置とは異なる表示位置に表示される際に、前記カウントダウンする表示のカウントダウンが行われ、前記カウントダウンする表示が終了されたとき、すべての前記情報表示が前記カウントダウンが終了されるよりも前の表示位置に表示されることがないことを特徴とする（例えば、段落［０９６４］〜段落［１００９］、図１４４〜図１４９等を参照）。
【手続補正書】
【提出日】令和3年4月9日(2021.4.9)
【手続補正１】
【補正対象書類名】特許請求の範囲
【補正対象項目名】全文
【補正方法】変更
【補正の内容】
【特許請求の範囲】
【請求項１】
始動条件の成立に基づいて、情報を取得する情報取得手段と、
前記情報に基づいて、当りであるかを判定する判定手段と、
前記判定手段による判定に基づいて、利益を付与しうる利益付与手段と、
開始条件の成立に基づいて、図柄変動を実行する図柄変動実行手段と、
前記始動条件が成立したものの前記開始条件が成立しなかった場合に、所定数を上限として前記情報を記憶して保留する保留手段と、
前記情報に基づいて、前記判定手段による判定が行われるよりも前に当りであるかを判定する事前判定手段と、
少なくとも第一遊技状態と該第一遊技状態よりも不利な第二遊技状態とに制御可能な遊技状態制御手段と、
所定の演出を実行する演出実行手段と、を備え、
前記演出実行手段によって、前記第一遊技状態であることを示唆する第一演出および前記第二遊技状態であることを示唆する第二演出が実行可能になされ、
前記第一演出が実行されているときに前記第一遊技状態が終了することを示唆する終了示唆表示が表示されると、該終了示唆表示が非表示とされたあとに前記第二演出が実行されうることとなり、
前記演出実行手段は、前記第一演出において前記事前判定手段によって前記当りと判定された前記情報が保留されているときに、該当りと判定された情報が保留されていることを示唆する示唆表示を表示するストック演出を実行可能であって、
前記事前判定手段によって前記当りと判定された前記情報が保留されているときであっても、該当りと判定された情報に関して前記ストック演出が実行されていない前記第一演出において、前記終了示唆表示が表示された時点で前記ストック演出が実行されることがなく、
前記事前判定手段によって前記当りと判定された複数の前記情報が保留されている状況で前記第一演出において該複数の情報に関して前記ストック演出が実行されなかった場合には、該当りと判定された複数の情報のうちの前記開始条件の成立が最も早い情報に基づく前記図柄変動が終了されたあとに再度行われる前記第一演出にて、該当りと判定された複数の情報のうちの残りの情報に関して前記ストック演出が実行される場合と、前記残りの情報に関して前記ストック演出が必ず実行されない場合と、がある
ことを特徴とする遊技機。
【手続補正２】
【補正対象書類名】明細書
【補正対象項目名】０００５
【補正方法】変更
【補正の内容】
【０００５】
しかしながら、大当り遊技状態の終了後に有利状態に制御する遊技機における有利状態中の演出については、さらなる工夫の余地がある。
【手続補正３】
【補正対象書類名】明細書
【補正対象項目名】０００７
【補正方法】変更
【補正の内容】
【０００７】
上記の課題を解決するため本発明は、以下の構成を採用する。遊技機は、始動条件の成立に基づいて、情報を取得する情報取得手段と、前記情報に基づいて、当りであるかを判定する判定手段と、前記判定手段による判定に基づいて、利益を付与しうる利益付与手段と、開始条件の成立に基づいて、図柄変動を実行する図柄変動実行手段と、前記始動条件が成立したものの前記開始条件が成立しなかった場合に、所定数を上限として前記情報を記憶して保留する保留手段と、前記情報に基づいて、前記判定手段による判定が行われるよりも前に当りであるかを判定する事前判定手段と、少なくとも第一遊技状態と該第一遊技状態よりも不利な第二遊技状態とに制御可能な遊技状態制御手段と、所定の演出を実行する演出実行手段と、を備え、前記演出実行手段によって、前記第一遊技状態であることを示唆する第一演出および前記第二遊技状態であることを示唆する第二演出が実行可能になされ、前記第一演出が実行されているときに前記第一遊技状態が終了することを示唆する終了示唆表示が表示されると、該終了示唆表示が非表示とされたあとに前記第二演出が実行されうることとなり、前記演出実行手段は、前記第一演出において前記事前判定手段によって前記当りと判定された前記情報が保留されているときに、該当りと判定された情報が保留されていることを示唆する示唆表示を表示するストック演出を実行可能であって、前記事前判定手段によって前記当りと判定された前記情報が保留されているときであっても、該当りと判定された情報に関して前記ストック演出が実行されていない前記第一演出において、前記終了示唆表示が表示された時点で前記ストック演出が実行されることがなく、前記事前判定手段によって前記当りと判定された複数の前記情報が保留されている状況で前記第一演出において該複数の情報に関して前記ストック演出が実行されなかった場合には、該当りと判定された複数の情報のうちの前記開始条件の成立が最も早い情報に基づく前記図柄変動が終了されたあとに再度行われる前記第一演出にて、該当りと判定された複数の情報のうちの残りの情報に関して前記ストック演出が実行される場合と、前記残りの情報に関して前記ストック演出が必ず実行されない場合と、があることを特徴とする（例えば、段落［１０９６］〜段落［１２７９］、図１５４〜図１７４等を参照）。
【手続補正書】
【提出日】令和2年11月26日(2020.11.26)
【手続補正１】
【補正対象書類名】特許請求の範囲
【補正対象項目名】全文
【補正方法】変更
【補正の内容】
【特許請求の範囲】
【請求項１】
遊技区間として、ストップスイッチの有利な操作態様の報知を行わない第１区間と、ストップスイッチの有利な操作態様の報知を行うことができる第２区間と、を有し、
第２区間において点灯可能な所定のランプを備え、
第２区間での遊技において、第２区間での遊技回数が特定回数に達したときは、第２区間を終了し、次の遊技は第１区間での遊技となるよう構成され、
第２区間、且つ特別役の当選に関する所定の情報を持ち越している状態での遊技において、前記特別役に対応する特別図柄組合せが停止表示せず、第２区間での遊技回数が前記特定回数に達したときは、第２区間を終了し、次の遊技は第１区間、且つ前記特別役の当選に関する所定の情報を持ち越している状態での遊技となるよう構成され、
前記特別役に対応する特別図柄組み合わせが停止表示したことに基づいて特別遊技状態を開始可能とし、
第２区間、且つ前記特別遊技状態での遊技において、前記特別遊技状態の終了条件を満たさず、第２区間での遊技回数が前記特定回数に達したときは、第２区間を終了し、次の遊技は第１区間、且つ前記特別遊技状態での遊技となるよう構成され、
第２区間を終了するときは、所定のフリーズを実行可能とする
ことを特徴とするスロットマシン。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】変更
【補正の内容】
【０００８】
本発明は、遊技者の射幸心を著しく煽ってしまうことがないスロットマシンを提供することを目的としている。
【手続補正４】
【補正対象書類名】明細書
【補正対象項目名】０００９
【補正方法】変更
【補正の内容】
【０００９】
上述した課題を解決するために、本発明は、
遊技区間として、ストップスイッチの有利な操作態様の報知を行わない第１区間と、ストップスイッチの有利な操作態様の報知を行うことができる第２区間と、を有し、
第２区間において点灯可能な所定のランプを備え、
第２区間での遊技において、第２区間での遊技回数が特定回数に達したときは、第２区間を終了し、次の遊技は第１区間での遊技となるよう構成され、
第２区間、且つ特別役の当選に関する所定の情報を持ち越している状態での遊技において、前記特別役に対応する特別図柄組合せが停止表示せず、第２区間での遊技回数が前記特定回数に達したときは、第２区間を終了し、次の遊技は第１区間、且つ前記特別役の当選に関する所定の情報を持ち越している状態での遊技となるよう構成され、
前記特別役に対応する特別図柄組み合わせが停止表示したことに基づいて特別遊技状態を開始可能とし、
第２区間、且つ前記特別遊技状態での遊技において、前記特別遊技状態の終了条件を満たさず、第２区間での遊技回数が前記特定回数に達したときは、第２区間を終了し、次の遊技は第１区間、且つ前記特別遊技状態での遊技となるよう構成され、
第２区間を終了するときは、所定のフリーズを実行可能とする
ことを特徴とする。
【手続補正５】
【補正対象書類名】明細書
【補正対象項目名】００１０
【補正方法】変更
【補正の内容】
【００１０】
上述した発明によれば、第２区間での遊技において、第２区間での遊技回数が特定回数に達したときは、第２区間を終了し、次の遊技は第１区間での遊技となるので、有利な操作態様が報知され得る第２区間での遊技を適度に抑制することが可能となり、遊技者の射幸心を著しく煽ってしまうことがない。
【手続補正６】
【補正対象書類名】明細書
【補正対象項目名】００１１
【補正方法】変更
【補正の内容】
【００１１】
以上のように、本発明のスロットマシンによれば、遊技者の射幸心を著しく煽ってしまうことがない。
【手続補正書】
【提出日】令和2年11月26日(2020.11.26)
【手続補正１】
【補正対象書類名】特許請求の範囲
【補正対象項目名】全文
【補正方法】変更
【補正の内容】
【特許請求の範囲】
【請求項１】
遊技区間として、ストップスイッチの有利な操作態様の報知を行わない第１区間と、ストップスイッチの有利な操作態様の報知を行うことができる第２区間と、を有し、
第２区間において点灯可能な所定のランプを備え、
第２区間での遊技において、第２区間での遊技回数が特定回数に達したときは、第２区間を終了し、次の遊技は第１区間での遊技となるよう構成され、
第２区間、且つ特別役の当選に関する所定の情報を持ち越している状態での遊技において、前記特別役に対応する特別図柄組合せが停止表示せず、第２区間での遊技回数が前記特定回数に達したときは、第２区間を終了し、次の遊技は第１区間、且つ前記特別役の当選に関する所定の情報を持ち越している状態での遊技となるよう構成され、
第２区間を終了するときは、所定のフリーズを実行可能とし、
前記所定のランプが消灯している状況下で、所定の遊技に係るすべてのリールが停止し、その後メニュー画面を表示可能になるまでに前記所定のランプを点灯可能に構成されている
ことを特徴とするスロットマシン。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
本発明は、遊技者の射幸心を著しく煽ってしまうことがないスロットマシンを提供することを目的としている。
【手続補正５】
【補正対象書類名】明細書
【補正対象項目名】０００９
【補正方法】変更
【補正の内容】
【０００９】
上述した課題を解決するために、本発明は、
遊技区間として、ストップスイッチの有利な操作態様の報知を行わない第１区間と、ストップスイッチの有利な操作態様の報知を行うことができる第２区間と、を有し、
第２区間において点灯可能な所定のランプを備え、
第２区間での遊技において、第２区間での遊技回数が特定回数に達したときは、第２区間を終了し、次の遊技は第１区間での遊技となるよう構成され、
第２区間、且つ特別役の当選に関する所定の情報を持ち越している状態での遊技において、前記特別役に対応する特別図柄組合せが停止表示せず、第２区間での遊技回数が前記特定回数に達したときは、第２区間を終了し、次の遊技は第１区間、且つ前記特別役の当選に関する所定の情報を持ち越している状態での遊技となるよう構成され、
第２区間を終了するときは、所定のフリーズを実行可能とし、
前記所定のランプが消灯している状況下で、所定の遊技に係るすべてのリールが停止し、その後メニュー画面を表示可能になるまでに前記所定のランプを点灯可能に構成されている
ことを特徴とする。
【手続補正６】
【補正対象書類名】明細書
【補正対象項目名】００１０
【補正方法】変更
【補正の内容】
【００１０】
上述した発明によれば、第２区間での遊技において、第２区間での遊技回数が特定回数に達したときは、第２区間を終了し、次の遊技は第１区間での遊技となるので、有利な操作態様が報知され得る第２区間での遊技を適度に抑制することが可能となり、遊技者の射幸心を著しく煽ってしまうことがない。
【手続補正７】
【補正対象書類名】明細書
【補正対象項目名】００１１
【補正方法】変更
【補正の内容】
【００１１】
以上のように、本発明のスロットマシンによれば、遊技者の射幸心を著しく煽ってしまうことがない。
【手続補正書】
【提出日】令和3年7月13日(2021.7.13)
【手続補正１】
【補正対象書類名】特許請求の範囲
【補正対象項目名】全文
【補正方法】変更
【補正の内容】
【特許請求の範囲】
【請求項１】
車両の自動運転を行う自動運転装置を制御する自動運転制御部（１０）と、
前記自動運転制御部からの指示に基づいて、自動運転モードあるいは手動運転モードへの切替え条件が成立したことを示す成立情報を運転者に対して表示する表示部（１１４）と、
前記成立情報に対応して、前記自動運転モードあるいは前記手動運転モードを設定するために前記運転者が操作する操作部（１２１）と、を備える車両用の自動運転操作表示装置において、
前記成立情報に基づいて操作すべき前記操作部を前記運転者に認識させるための認識部（１３０）が、前記操作部に設けられており、
前記自動運転制御部は、前記表示部に対する前記成立情報の表示指示に連動して、前記認識部を作動させるようになっており、
前記車両のステアリング（２０）、アクセルペダル、あるいはブレーキペダルを振動させる振動部を備え、
前記自動運転制御部は、
前記自動運転モード時に、前記運転者による前記ステアリング、前記アクセルペダル、あるいは前記ブレーキペダルに対する意図しない介入操作があると、前記表示部に前記介入操作があることを表示させると共に、前記振動部を作動させる自動運転操作表示装置。
【請求項２】
車両の自動運転を行う自動運転装置を制御する自動運転制御部（１０）と、
前記自動運転制御部からの指示に基づいて、自動運転モードあるいは手動運転モードへの切替え条件が成立したことを示す成立情報を運転者に対して表示する表示部（１１４）と、
前記成立情報に対応して、前記自動運転モードあるいは前記手動運転モードを設定するために前記運転者が操作する操作部（１２１）と、を備える車両用の自動運転操作表示装置において、
前記成立情報に基づいて操作すべき前記操作部を前記運転者に認識させるための認識部（１３０）が、前記操作部に設けられており、
前記自動運転制御部は、前記表示部に対する前記成立情報の表示指示に連動して、前記認識部を作動させるようになっており、
前記操作部に対する前記運転者の操作が複数の手順に分かれており、
前記自動運転制御部は、複数の前記手順に応じて、前記成立情報の表示指示を行うと共に、前記認識部の作動を順番に行う自動運転操作表示装置。
【請求項３】
車両の自動運転を行う自動運転装置を制御する自動運転制御部（１０）と、
前記自動運転制御部からの指示に基づいて、自動運転モードあるいは手動運転モードへの切替え条件が成立したことを示す成立情報を運転者に対して表示する表示部（１１４）と、
前記成立情報に対応して、前記自動運転モードあるいは前記手動運転モードを設定するために前記運転者が操作する操作部（１２１）と、を備える車両用の自動運転操作表示装置において、
前記成立情報に基づいて操作すべき前記操作部を前記運転者に認識させるための認識部（１３０）が、前記操作部に設けられており、
前記自動運転制御部は、前記表示部に対する前記成立情報の表示指示に連動して、前記認識部を作動させるようになっており、
前記運転者を識別する識別部（１４０）を備え、
前記自動運転制御部は、前記識別部に基づいて識別された前記運転者に応じて、前記認識部の作動、あるいは非作動を決定する自動運転操作表示装置。
【請求項４】
前記認識部は、前記操作部を発光させる発光部（１３０）である請求項１〜請求項３のいずれか１つに記載の自動運転操作表示装置。
【請求項５】
前記自動運転制御部は、
前記成立情報に対する前記操作部への操作の緊急度に応じて、前記発光部の発光態様を変更する請求項４に記載の自動運転操作表示装置。
【請求項６】
前記自動運転制御部は、
前記操作部を発光させる際に、前記発光部を点滅発光させると共に、
前記成立情報に対する前記操作部への操作の緊急度が高い程、前記点滅発光の周期を相対的に短くする請求項５に記載の自動運転操作表示装置。
【請求項７】
前記自動運転制御部は、
前記発光部を作動させる際に、前記成立情報に対する前記操作部への操作の緊急度に応じて、前記発光の色を変更する請求項５または請求項６に記載の自動運転操作表示装置。
【請求項８】
前記運転者が、前記自動運転制御部に対して前記認識部の作動を禁止するための入力を行う入力部（１５０）を備える請求項１〜請求項７のいずれか１つに記載の自動運転操作表示装置。
【請求項９】
前記操作部は、入力用の押下スイッチであり、
前記押下スイッチは、前記運転者からの長押し入力、あるいは、複数回押下入力を受付ける請求項１〜請求項８のいずれか１つに記載の自動運転操作表示装置。
【手続補正２】
【補正対象書類名】明細書
【補正対象項目名】０００８
【補正方法】変更
【補正の内容】
【０００８】
第１から第３の開示では、車両の自動運転を行う自動運転装置を制御する自動運転制御部（１０）と、
自動運転制御部からの指示に基づいて、自動運転モードあるいは手動運転モードへの切替え条件が成立したことを示す成立情報を運転者に対して表示する表示部（１１４）と、
成立情報に対応して、自動運転モードあるいは手動運転モードを設定するために運転者が操作する操作部（１２１）と、を備える車両用の自動運転操作表示装置において、
成立情報に基づいて操作すべき操作部を運転者に認識させるための認識部（１３０）が、操作部に設けられており、
自動運転制御部は、表示部に対する成立情報の表示指示に連動して、認識部を作動させる。
更に、第１の開示では、車両のステアリング（２０）、アクセルペダル、あるいはブレーキペダルを振動させる振動部を備え、
自動運転制御部は、
自動運転モード時に、運転者によるステアリング、アクセルペダル、あるいはブレーキペダルに対する意図しない介入操作があると、表示部に介入操作があることを表示させると共に、振動部を作動させる。
また、第２の開示では、操作部に対する運転者の操作が複数の手順に分かれており、
自動運転制御部は、複数の手順に応じて、成立情報の表示指示を行うと共に、認識部の作動を順番に行う。
また、第３の開示では、運転者を識別する識別部（１４０）を備え、
自動運転制御部は、識別部に基づいて識別された運転者に応じて、認識部の作動、あるいは非作動を決定する。
【手続補正書】
【提出日】令和2年8月25日(2020.8.25)
【手続補正１】
【補正対象書類名】特許請求の範囲
【補正対象項目名】全文
【補正方法】変更
【補正の内容】
【特許請求の範囲】
【請求項１】
月経中の女性ユーザの生殖器領域の外部及び近接の領域から微生物を隔離するための方法であって、
第１の女性用衛生パッドを提供する工程と、
前記パッドを、ある期間、下着又は他の保持具内で、月経液を排出する際に月経液を受容するのに好適な位置における、前記ユーザの生殖器領域に近接した位置で着用する工程と、
前記パッドを前記ある期間後に除去して、第２の女性用衛生パッドと交換する工程と、を含み、
前記第１及び前記第２の女性用衛生パッドの各々が、液体透過性トップシートと、液体不透過性バックシートと、前記トップシートと前記バックシートとの間に配設された吸収性層と、を備え、
前記トップシートが、親水性繊維を含む繊維状不織布ウェブ材料を含み、
前記吸収性層が、ＨＩＰＥの重合によって形成された連続気泡発泡体を含み、
前記トップシート及び前記吸収性層が、互いに直接向かい合わせの関係で配設され、少なくとも１５ｃｍ２の結合領域内の複数の取り付け点で互いに取り付けられ、
前記トップシートと前記吸収性層との間の前記結合領域内の各々の第１の識別可能な取り付け点が、前記第１の識別可能な取り付け点の６ｍｍの半径内で、前記トップシートと前記吸収性層との間の前記結合領域内に、隣接する第２の識別可能な取り付け点を有し、
前記パッドの各々が、実質的に抗菌剤を含まない、方法。
【請求項２】
前記トップシートと前記吸収性層との間の取り付けが、前記結合領域内に前記トップシートと前記吸収性層との間に散在した非結合領域を残しつつ、結合領域を形成するように不連続的又は断続的に堆積された接着剤によってもたらされる、請求項１に記載の方法。
【請求項３】
前記不織布ウェブ材料が、植物繊維を含む、請求項１又は２のいずれかに記載の方法。
【請求項４】
前記不織布ウェブ材料が、綿繊維を含む、請求項３に記載の方法。
【請求項５】
前記不織布ウェブ材料が、レーヨン繊維を含む、請求項１又は２のいずれかに記載の方法。
【請求項６】
前記不織布ウェブ材料が、熱可塑性ポリマー樹脂から紡糸された繊維を含む、請求項３〜５のいずれかに記載の方法。
【請求項７】
前記不織布ウェブ材料が、水流交絡されている、請求項１〜６のいずれかに記載の方法。
【請求項８】
相対的により小さな気泡の外方に面する副層と接触して配設された、相対的により大きな気泡の着用者に面する副層を含む、少なくとも２つの吸収性副層を前記吸収性層が含む、請求項１〜７のいずれかに記載の方法。
【請求項９】
前記繊維状不織布ウェブ材料が、ＣＷＰＤを有し、前記吸収性層が、ＣＷＰＡを有し、前記ＣＷＰＡが、前記ＣＷＰＤよりも大きく、前記吸収性層が、１ｍｍ〜５ｍｍのキャリパを（湿潤前に）有する、請求項１〜８のいずれかに記載の方法。
【請求項１０】
前記ＣＷＰＡが、少なくとも４０ｍＪ／ｍ２だけ、前記ＣＷＰＤよりも大きい、請求項９に記載の方法。
【請求項１１】
前記繊維状不織布ウェブ材料が、２０ｇｓｍ〜５０ｇｓｍの坪量を有する、請求項１〜１０のいずれかに記載の方法。
【請求項１２】
前記繊維状不織布ウェブ材料が、０．２０ｍｍ〜０．６０ｍｍのキャリパを有する、請求項１１に記載の方法。
【請求項１３】
前記繊維状不織布ウェブ材料が、綿繊維を含み、７４ｋｇ／ｍ３〜１１０ｋｇ／ｍ３の密度を有する、請求項１１又は１２のいずれかに記載の方法。
【請求項１４】
前記吸収性層が、少なくとも前記結合領域に存在する穿孔の配列を含む、請求項１〜１３のいずれかに記載の方法。
【請求項１５】
前記女性用衛生パッドが、以下の値のうちの１つ以上：
ＣＦＵｍｅａｎ、黄色ブドウ球菌（Ｓ．ａｕｒｅｕｓ）：約５．２未満、
ＣＦＵｍｅａｎ、大腸菌（Ｅ．ｃｏｌｉ）：約３．５未満、並びに
ＣＦＵｍｅａｎ、カンジダ・アルビカンス（Ｃ．ａｌｂｉｃａｎｓ）：約５．２未満、及び／又は
ＣＦＵａｖｇ：約４．６未満、を呈するように更に構成されている、請求項１〜１４のいずれかに記載の方法。
【手続補正書】
【提出日】令和3年5月18日(2021.5.18)
【手続補正１】
【補正対象書類名】特許請求の範囲
【補正対象項目名】全文
【補正方法】変更
【補正の内容】
【特許請求の範囲】
【請求項１】
患者を識別する患者識別情報と、前記患者の連絡先に関する患者連絡先情報と、を関連付けて記憶する手段を備え、
ユーザから、薬を調剤された第１患者に対するフォローアップの内容の指定を受け付ける手段を備え、
前記フォローアップの内容に応じた情報を提示する手段を備える、
情報処理装置。
【請求項２】
前記受け付ける手段は、前記フォローアップを行う日時の指定を受け付ける、
請求項１に記載の情報処理装置。
【請求項３】
前記薬を調剤した日付及び処方日数の少なくとも一方に関する情報を取得する手段を備え、
前記受け付ける手段は、前記日付及び処方日数の少なくとも一方に基づき、前記フォローアップを行う日付の候補を前記ユーザに提示する、
請求項２に記載の情報処理装置。
【請求項４】
前記提示する手段は、前記第１患者に関連付けられた患者連絡先情報に対応する連絡先に対して、前記フォローアップに対応するフォローアップメッセージを提示する、
請求項１〜請求項３の何れかに記載の情報処理装置。
【請求項５】
前記フォローアップメッセージは、効果の有無の確認及び指導、副作用の有無の確認及び指導、並びに、服薬状況の確認及び指導の少なくとも１つを含む、
請求項４に記載の情報処理装置。
【請求項６】
前記フォローアップメッセージは、次回の調剤予定日の案内を含む、
請求項４又は請求項５に記載の情報処理装置。
【請求項７】
前記第１患者から、前記ユーザに対する返信メッセージの指定を受け付ける手段を備え、
前記ユーザに対して、前記返信メッセージを提示する手段を備える、
請求項１〜請求項６の何れかに記載の情報処理装置。
【請求項８】
前記第１患者の患者識別情報と、前記返信メッセージに基づく情報と、を含むトレーシングレポートを生成する手段を備える、
請求項７に記載の情報処理装置。
【請求項９】
電子版お薬手帳用二次元コードの情報に基づいて前記患者識別情報及び前記患者連絡先情報を取得する手段を備え、
前記提示する手段は、前記ユーザに対して、前記フォローアップの内容に関する情報及び前記第１患者に関連付けられた患者連絡先情報を提示する、
請求項１〜請求項８の何れかに記載の情報処理装置。
【請求項１０】
前記トレーシングレポートを、前記薬を処方した者に送信する手段を備える、
請求項９に記載の情報処理装置。
【請求項１１】
前記第１患者に関する患者情報及び調剤された前記薬に関する調剤薬情報の少なくとも一方に基づいて、前記フォローアップの内容の候補を提示する手段を備える、
請求項１〜請求項１０の何れかに記載の情報処理装置。
【請求項１２】
患者に関する患者情報及び調剤された薬に関する調剤薬情報の少なくとも一方に基づいて、当該患者が前記第１患者としてフォローアップの対象となることが推奨されるか否かを判定する手段を備える、
請求項１〜請求項１１の何れかに記載の情報処理装置。
【請求項１３】
コンピュータを、請求項１〜請求項１２に記載の各手段として機能させるためのプログラム。
【手続補正書】
【提出日】令和3年8月10日(2021.8.10)
【手続補正１】
【補正対象書類名】特許請求の範囲
【補正対象項目名】全文
【補正方法】変更
【補正の内容】
【特許請求の範囲】
【請求項１】
互いに直交する前後方向及び幅方向と、
着用者の排泄口と対向する股下域と、
前記股下域よりも後方に位置する後側域と、
少なくとも前記股下域と前記後側域に配置される吸収コアと、を有し、
着用物品に取り付けられて使用される吸収性物品であって、
少なくとも前記吸収コアを厚み方向に圧縮した圧搾部が設けられており、
前記吸収コアは、前記股下域における前記吸収コアの前記幅方向の側部に配置された一対の吸収隆起部と、前記吸収隆起部よりも薄い厚みを有する吸収薄部と、を有し、
前記吸収薄部は、前記幅方向において前記一対の吸収隆起部に挟まれた中央領域に少なくとも配置されており、
前記吸収コアは、前記股下域を前記前後方向に三等分した３つの領域のうち中央、かつ、前記吸収隆起部を前記幅方向に三等分した３つの領域のうちの中央に位置する隆起中心域を有し、
前記圧搾部は、前記隆起中心域から前記幅方向の内側に延びる幅延長領域に設けられた第１圧搾領域と、前記隆起中心域から前記前後方向の外側に延びる前後延長領域に設けられた第２圧搾領域と、を有する、吸収性物品。
【請求項２】
前記第１圧搾領域は、前記吸収隆起部の内側縁よりも前記幅方向の内側に配置されている、請求項１に記載の吸収性物品。
【請求項３】
前記圧搾部は、前記第１圧搾領域と前記第２圧搾領域を繋ぐ第３圧搾領域を有する、請求項１又は請求項２に記載の吸収性物品。
【請求項４】
前記圧搾部は、前記第２圧搾領域から前記幅方向の外側に延びる第４圧搾領域を有し、
前記第４圧搾領域は、前記吸収隆起部の前記幅方向の中心よりも外側に配置されている、請求項３に記載の吸収性物品。
【請求項５】
前記第４圧搾領域は、前記吸収隆起部の最外端を通りかつ前記前後方向に延びる外端仮想線上に配置されている、請求項４に記載の吸収性物品。
【請求項６】
前記第２圧搾領域の少なくとも一部は、前記股下域よりも前側に配置されている、請求項１から請求項５のいずれか１項に記載の吸収性物品。
【請求項７】
前記第２圧搾領域の少なくとも一部は、前記股下域よりも後側に配置されている、請求項１から請求項６のいずれか１項に記載の吸収性物品。
【請求項８】
前記吸収隆起部の前端縁及び後端縁のうち少なくともいずれか一方は、前記前後方向において前記第２圧搾領域と前記股下域の中心との間に配置されている、請求項１から請求項７のいずれか１項に記載の吸収性物品。
【請求項９】
前記第２圧搾領域は、前記股下域の前記前後方向の中心よりも前側に位置する前第２圧搾領域と、前記股下域の前記前後方向の中心よりも後側に位置する後第２圧搾領域と、を有する、請求項１から請求項８のいずれか１項に記載の吸収性物品。
【請求項１０】
前記前後延長領域において、前記前第２圧搾領域は、前記吸収隆起部の前端縁よりも前側に配置され、前記後第２圧搾領域は、前記吸収隆起部の後端縁よりも後側に配置されている、請求項９に記載の吸収性物品。
【請求項１１】
前記吸収隆起部の前端部における前記吸収隆起部の前記幅方向の長さは、前記股下域の前記前後方向の中心における前記吸収隆起部の前記幅方向の長さよりも短い、請求項１から請求項１０のいずれか１項に記載の吸収性物品。
【請求項１２】
前記吸収隆起部の後端部における前記吸収隆起部の前記幅方向の長さは、前記股下域の前記前後方向の中心における前記吸収隆起部の前記幅方向の長さよりも短い、請求項１から請求項１１のいずれか１項に記載の吸収性物品。
【請求項１３】
前記吸収隆起部の内側辺は、前記股下域の前記前後方向の中心から前側に向かって前記幅方向の外側に延びている、請求項１から請求項１２のいずれか１項に記載の吸収性物品。
【請求項１４】
前記吸収隆起部の内側辺は、前記股下域の前記前後方向の中心から後側に向かって前記幅方向の外側に延びている、請求項１から請求項１３のいずれか１項に記載の吸収性物品。
【請求項１５】
前記後側域には、前記幅方向の外側に膨らんだヒップフラップが設けられており、
前記吸収隆起部の後端縁から前記吸収隆起部の内側辺に沿って延びる後側延長線と、前記吸収性物品の外側辺と、の交点は、前記ヒップフラップの最大幅の位置より前側に位置する、請求項１４に記載の吸収性物品。
【請求項１６】
前記ヒップフラップには、着用物品に接合するためのフラップ接合部が設けられており、
前記フラップ接合部の少なくとも一部は、前記後側延長線よりも前記幅方向の内側に位置する、請求項１５に記載の吸収性物品。
【請求項１７】
前記吸収隆起部の内側辺は、前記吸収隆起部の内側縁から前側に向かって前記幅方向の外側に向かって円弧状に延びるとともに、前記吸収隆起部の前記内側縁から後側に向かって前記幅方向の外側に向かって円弧状に延びており、
前記吸収隆起部の内前記内側辺のうち前記内側縁から前側に向かって延び部分の曲率は、前記吸収隆起部のうち前記内側辺の内側縁から後側に向かって延びる前記内側辺の曲率よりも小さい、請求項１から請求項１６のいずれか１項に記載の吸収性物品。
【請求項１８】
前記股下域には、前記幅方向の外側に膨らんだウイングが設けられており、
前記吸収隆起部の外側辺は、前記前後方向に沿っている、請求項１から請求項１７のいずれか１項に記載の吸収性物品。
【請求項１９】
前記股下域には、前記幅方向の外側に膨らんだウイングが設けられており、
前記吸収隆起部の内側辺は、前記股下域の前記前後方向の中心から前側に向かって前記幅方向の外側に延びるとともに、前記股下域の前記前後方向の中心から後側に向かって前記幅方向の外側に延びており、
前記吸収隆起部の後端縁から前記吸収隆起部の内側辺に沿って延びる後側延長線と、前記吸収性物品の外側辺と、の交点は、前記ウイングの後端縁より後側に位置し、
前記吸収隆起部の前端縁から前記吸収隆起部の内側辺に沿って延びる前側延長線と、前記吸収性物品の外側辺と、の交点は、前記ウイングの前端縁よりも前側に位置する、請求項１から請求項１８のいずれか１項に記載の吸収性物品。
【手続補正書】
【提出日】令和3年6月26日(2021.6.26)
【手続補正１】
【補正対象書類名】特許請求の範囲
【補正対象項目名】全文
【補正方法】変更
【補正の内容】
【特許請求の範囲】
【請求項１】
遊技領域が形成された遊技盤を備え、前記遊技盤に植設された遊技釘によって前記遊技領域を流下する遊技球の流下方向が変化可能に構成された遊技機において、
前記遊技領域内に打込まれた遊技球を開口部より受入可能とされた受入口と、
左右に延びていると共に上面を遊技球が転動可能なように左右のうちの一方が低くされた可動部材を遊技釘が植設される前記遊技盤の前面よりも前方の前記遊技領域内に突出可能な突出手段と、
を備え、
前記突出手段は、前記可動部材を前記可動部材の上面を遊技球が転動可能となる位置まで前記遊技領域内に突出させることで前記可動部材の上面と前記受入口の前記開口部を連通させ、前記可動部材の上面を転動する遊技球を前記受入口へ受け入れ可能とし、
前記開口部の前方に誘導片を位置させ、前記開口部前に転動してきた遊技球の転動方向を変化可能にしており、
前記受入口の前記開口部は、遊技釘が植設される前記遊技盤の前面よりも前方に設けられ、
前記受入口の前記開口部の開口径は遊技媒体が同時に２つ以上受け入れられない大きさとされており、
左右に延びていると共に前記可動部材の左右のうち低くなっている一端側と相対する一端側が低くなるように上面が傾斜した固定棚部を前記可動部材よりも上流側に設けることで、前記固定棚部の上面を転動した遊技球が前記可動部材の上面を転動可能にされている
ことを特徴とする遊技機。
【手続補正２】
【補正対象書類名】明細書
【補正対象項目名】０００７
【補正方法】変更
【補正の内容】
【０００７】
手段１：遊技領域が形成された遊技盤を備え、前記遊技盤に植設された遊技釘によって前記遊技領域を流下する遊技球の流下方向が変化可能に構成された遊技機において、
前記遊技領域内に打込まれた遊技球を開口部より受入可能とされた受入口と、
左右に延びていると共に上面を遊技球が転動可能なように左右のうちの一方が低くされた可動部材を遊技釘が植設される前記遊技盤の前面よりも前方の前記遊技領域内に突出可能な突出手段と、
を備え、
前記突出手段は、前記可動部材を前記可動部材の上面を遊技球が転動可能となる位置まで前記遊技領域内に突出させることで前記可動部材の上面と前記受入口の前記開口部を連通させ、前記可動部材の上面を転動する遊技球を前記受入口へ受け入れ可能とし、
前記開口部の前方に誘導片を位置させ、前記開口部前に転動してきた遊技球の転動方向を変化可能にしており、
前記受入口の前記開口部は、遊技釘が植設される前記遊技盤の前面よりも前方に設けられ、
前記受入口の前記開口部の開口径は遊技媒体が同時に２つ以上受け入れられない大きさとされており、
左右に延びていると共に前記可動部材の左右のうち低くなっている一端側と相対する一端側が低くなるように上面が傾斜した固定棚部を前記可動部材よりも上流側に設けることで、前記固定棚部の上面を転動した遊技球が前記可動部材の上面を転動可能にされていることを特徴とする遊技機。
【手続補正３】
【補正対象書類名】明細書
【補正対象項目名】０００８
【補正方法】削除
【補正の内容】
【手続補正書】
【提出日】令和3年10月4日(2021.10.4)
【手続補正１】
【補正対象書類名】特許請求の範囲
【補正対象項目名】全文
【補正方法】変更
【補正の内容】
【特許請求の範囲】
【請求項１】
遊技の進行制御を行う遊技制御手段と、前記遊技制御手段から送信される制御情報に基づき遊技の演出制御を行う演出制御手段と、を備える遊技機において、
前記遊技制御手段は、
前記遊技機への電力供給が停止しても記憶内容を保持可能な記憶手段と、
前記記憶手段の所定の記憶内容を初期化する初期化処理を実行可能な初期化手段と、
遊技者に有利な特別遊技を実行するか否かの確率が定められる設定値を設定可能な設定変更状態、又は、前記設定値を確認可能な設定確認状態に制御する状態制御手段と、
前記遊技機の外部に信号を出力する外部出力手段と、
前記初期化処理を実行させるために操作が必要な第１操作部と、
前記設定変更状態、又は、前記設定確認状態を制御させるために操作が必要な第２操作部と、を備え、
前記遊技機への電力供給が開始されたときに第１操作が行われていることに基づいて前記設定変更状態を制御し、前記遊技機への電力供給が開始されたときに前記第１操作とは異なる第２操作が行われていることに基づいて前記設定確認状態を制御し、前記遊技機への電力供給が開始されたときに前記第１操作および前記第２操作とは異なる第３操作が行われていることに基づいて前記初期化処理を実行可能であり、
前記第１操作は、前記第１操作部と前記第２操作部とが同時に操作される操作態様であり、
前記第２操作は、前記第１操作部が操作されることなく前記第２操作部が操作される操作態様であり、
前記第３操作は、前記第２操作部が操作されることなく前記第１操作部が操作される操作態様であり、
前記外部出力手段は、
前記初期化処理を行う場合と、前記設定変更状態に制御する場合と、前記設定確認状態に制御する場合とで、外部出力信号を出力し、
前記初期化処理に基づく外部出力信号と、前記設定変更状態に基づく外部出力信号と、前記設定確認状態に基づく外部出力信号とは同一の出力端子から出力する、
ことを特徴とする遊技機。
【手続補正２】
【補正対象書類名】明細書
【補正対象項目名】０００７
【補正方法】変更
【補正の内容】
【０００７】
上記課題を解決するため本発明は、遊技の進行制御を行う遊技制御手段と、前記遊技制御手段から送信される制御情報に基づき遊技の演出制御を行う演出制御手段と、を備える遊技機において、前記遊技制御手段は、前記遊技機への電力供給が停止しても記憶内容を保持可能な記憶手段と、前記記憶手段の所定の記憶内容を初期化する初期化処理を実行可能な初期化手段と、遊技者に有利な特別遊技を実行するか否かの確率が定められる設定値を設定可能な設定変更状態、又は、前記設定値を確認可能な設定確認状態に制御する状態制御手段と、前記遊技機の外部に信号を出力する外部出力手段と、前記初期化処理を実行させるために操作が必要な第１操作部と、前記設定変更状態、又は、前記設定確認状態を制御させるために操作が必要な第２操作部と、を備え、前記遊技機への電力供給が開始されたときに第１操作が行われていることに基づいて前記設定変更状態を制御し、前記遊技機への電力供給が開始されたときに前記第１操作とは異なる第２操作が行われていることに基づいて前記設定確認状態を制御し、前記遊技機への電力供給が開始されたときに前記第１操作および前記第２操作とは異なる第３操作が行われていることに基づいて前記初期化処理を実行可能であり、前記第１操作は、前記第１操作部と前記第２操作部とが同時に操作される操作態様であり、前記第２操作は、前記第１操作部が操作されることなく前記第２操作部が操作される操作態様であり、前記第３操作は、前記第２操作部が操作されることなく前記第１操作部が操作される操作態様であり、前記外部出力手段は、前記初期化処理を行う場合と、前記設定変更状態に制御する場合と、前記設定確認状態に制御する場合とで、外部出力信号を出力し、前記初期化処理に基づく外部出力信号と、前記設定変更状態に基づく外部出力信号と、前記設定確認状態に基づく外部出力信号とは同一の出力端子から出力する、ことを特徴とする。
【手続補正書】
【提出日】令和3年8月23日(2021.8.23)
【手続補正１】
【補正対象書類名】特許請求の範囲
【補正対象項目名】全文
【補正方法】変更
【補正の内容】
【特許請求の範囲】
【請求項１】
メイン制御手段と、
サブ制御手段と、
を備え、
遊技区間として、通常区間と有利区間とを有し、
通常区間で特定抽せん結果が決定された遊技では、メイン制御手段は、有利なストップスイッチの操作態様を示す所定情報をサブ制御手段に送信せず、
有利区間で特定抽せん結果が決定された遊技では、メイン制御手段は、有利なストップスイッチの操作態様を示す所定情報をサブ制御手段に送信可能とし、
２バイトの値を記憶可能な所定の記憶領域を備え、
タイマ割込み処理によって、所定の記憶領域に記憶されている値から「１」を減算する処理を実行可能とし、
所定の記憶領域に記憶されている値から「１」を減算する処理は、所定の記憶領域に記憶されている値が「０」であるか否かを判断することなく、一命令で実行可能とし、
所定の記憶領域に「Ｎ（Ｎ≧１）」が記憶されている状況において、所定の記憶領域に記憶されている値から「１」を減算する処理が実行されたときは、当該処理の結果として所定の記憶領域に記憶されている値は「Ｎ−１」であり、
所定の記憶領域に「０」が記憶されている状況において、所定の記憶領域に記憶されている値から「１」を減算する処理が実行されたときは、当該処理の結果として所定の記憶領域に記憶されている値は「０」である
ことを特徴とする遊技機。
【手続補正２】
【補正対象書類名】明細書
【補正対象項目名】０００４
【補正方法】変更
【補正の内容】
【０００４】
前述の従来の遊技機は、タイマ値を更新するときのプログラムが複雑化し、プログラム容量が増大するおそれがある。
本発明が解決しようとする課題は、簡素なプログラムで値を更新可能とすることである。
【手続補正３】
【補正対象書類名】明細書
【補正対象項目名】０００５
【補正方法】変更
【補正の内容】
【０００５】
本発明は、
メイン制御手段と、
サブ制御手段と、
を備え、
遊技区間として、通常区間と有利区間とを有し、
通常区間で特定抽せん結果が決定された遊技では、メイン制御手段は、有利なストップスイッチの操作態様を示す所定情報をサブ制御手段に送信せず、
有利区間で特定抽せん結果が決定された遊技では、メイン制御手段は、有利なストップスイッチの操作態様を示す所定情報をサブ制御手段に送信可能とし、
２バイトの値を記憶可能な所定の記憶領域を備え、
タイマ割込み処理によって、所定の記憶領域に記憶されている値から「１」を減算する処理を実行可能とし、
所定の記憶領域に記憶されている値から「１」を減算する処理は、所定の記憶領域に記憶されている値が「０」であるか否かを判断することなく、一命令で実行可能とし、
所定の記憶領域に「Ｎ（Ｎ≧１）」が記憶されている状況において、所定の記憶領域に記憶されている値から「１」を減算する処理が実行されたときは、当該処理の結果として所定の記憶領域に記憶されている値は「Ｎ−１」であり、
所定の記憶領域に「０」が記憶されている状況において、所定の記憶領域に記憶されている値から「１」を減算する処理が実行されたときは、当該処理の結果として所定の記憶領域に記憶されている値は「０」である
ことを特徴とする。
【手続補正４】
【補正対象書類名】明細書
【補正対象項目名】０００６
【補正方法】変更
【補正の内容】
【０００６】
本発明によれば、簡素なプログラムで値を更新可能とすることが可能となる。
【手続補正書】
【提出日】令和3年6月17日(2021.6.17)
【手続補正１】
【補正対象書類名】特許請求の範囲
【補正対象項目名】全文
【補正方法】変更
【補正の内容】
【特許請求の範囲】
【請求項１】
デフォッガ領域及びアンテナ領域を有するガラス板と、
前記デフォッガ領域に配置され、複数の水平加熱線を有するデフォッガと、
少なくともＦＭアンテナを含み、前記アンテナ領域に配置されるアンテナと、
を備え、
前記ＦＭアンテナは、
前記ガラス板に配置される第１給電部と、
第１水平部、前記第１水平部よりも前記デフォッガに近接し、当該デフォッガと容量結合する第２水平部、及び前記両水平部を連結する少なくとも１つの垂直部と、を有し、前記第１給電部に接続されるＦＭアンテナ本体と、
前記第１給電部から延び、前記ＦＭアンテナ本体の第１水平部と容量結合する、第１調整エレメントと、
前記第１給電部から延び、前記ＦＭアンテナ本体の第２水平部と接続される第１メイン給電エレメントと、
を備えている、車両用窓ガラス。
【請求項２】
前記ＦＭアンテナ本体の第２水平部は、１本の直線状の線材に形成されている、請求項１に記載の車両用窓ガラス。
【請求項３】
前記垂直部は、前記デフォッガの最上部の前記水平加熱線と最下部の前記水平加熱線とを結ぶように延びるデフォッガ垂直線と対応するように上下方向に延びるように配置されている、請求項１または２に記載の車両用窓ガラス。
【請求項４】
前記デフォッガの垂直線は、前記ガラス板の中央付近に配置されている、請求項１から３のいずれかに記載の車両用窓ガラス。
【請求項５】
前記ＦＭアンテナは、
前記デフォッガを挟み、前記ＦＭアンテナ本体の前記第２水平部とは反対側に配置される、第２調整エレメントをさらに備えている、請求項１から４のいずれかに記載の車両用窓ガラス。
【請求項６】
前記第２調整エレメントは、
前記デフォッガの最下部の前記水平加熱線から下方向に延びる下部垂直部と、
前記下部垂直部に連結され左右方向に延びる下部水平部と、
を有する、請求項５に記載の車両用窓ガラス。
【請求項７】
前記下部垂直部は、前記デフォッガ垂直線と対応する位置にある、請求項６に記載の車両用窓ガラス。